(57)【特許請求の範囲】
【請求項１】
サーベイメーター電子回路保護部材であって、
ガンマ線サーベイメーターの信号伝達ケーブル２１０以外の他の部分には電気を通さないようにするための絶縁体部１１０と、
ステンレスから構成され、前記絶縁体部１１０と前記ガンマ線サーベイメーターのケーブル固定具２２０とを連結するステンレス板材部１２０と、
前記ガンマ線サーベイメーターに挿入するときに前記信号伝達ケーブル２１０が通過するケーブルホール部１３０と、
を含むことを特徴とする、サーベイメーター電子回路保護部材。
【請求項２】
前記絶縁体部は、シリコン材から構成されることを特徴とする、請求項１に記載のサーベイメーター電子回路保護部材。
【請求項３】
請求項１に記載のサーベイメーター電子回路保護部材が、前記ガンマ線サーベイメーターのテレスコープホール部２３０及び指示部電子回路部２４０を互いに物理的に隔離させるように、前記ガンマ線サーベイメーターの内部に挿入されることを特徴とする、ガンマ線サーベイメーター。
【発明の詳細な説明】
【技術分野】
【０００１】
本発明は電子回路保護部材及びこれを挿入させた高準位ガンマ線サーベイメーターに係り、より詳しくは、シリコン絶縁体などからなるサーベイメーター電子回路保護部材を空間放射線量率を測定する装備である高準位ガンマ線サーベイメーターの内部に挿入することで、伝導性物質の流入による電子回路の短絡故障を前もって防止するサーベイメーター電子回路保護部材及びこれを挿入させた高準位ガンマ線サーベイメーターに関するものである。
【背景技術】
【０００２】
原子力発電所の高放射線区域に対する空間放射線量率の測定の際には、測定者の被曝放射線量を減らすために、遠距離測定可能なテレテクター型測定機が用いられる。前記測定機は、放射線による信号を感知する検出部、検出部の電気信号を伝達するケーブル、及び電気信号を空間放射線量率に切り替えて測定値を示す指示部から構成されている。検出部と指示部とを連結するケーブルは、最大４メートルまで伸ばすことができるテレスコープ内に内蔵されており、このテレスコープはラジオアンテナのように直径が順次減少するアルミニウム管で作製されている。
【０００３】
前記アルミニウム管の連結部は金属ピンで固定されているが、装備の長年の使用によって金属ピンが次第に摩耗して連結部品から分離される場合が発生する。この金属ピンがテレスコープの内部空間を通じて指示部の電子回路部分に導入されると、電気的短絡状態を引き起こして故障をもたらすという問題があった。
【発明の概要】
【発明が解決しようとする課題】
【０００４】
本発明は、上記のような問題点に鑑みてなされたもので、高準位ガンマ線サーベイメーター電子回路の主要故障原因を除去するために、サーベイメーターの内部に電子回路保護部材を簡便に装着して、電気伝導性物質が電子回路内に流入して発生する電子回路の短絡故障を前もって防止するためのサーベイメーター電子回路保護部材及びこれを挿入させた高準位ガンマ線サーベイメーターを提供することを目的とする。
【課題を解決するための手段】
【０００５】
このような技術的課題を達成するために、本発明は、サーベイメーター電子回路保護部材及びこれを挿入させた高準位ガンマ線サーベイメーターに関するものであり、サーベイメーター電子回路保護部材は、サーベイメーターの信号伝達ケーブルの外には電気を通さないようにするための絶縁体部と、通常の弾性ステンレス板材から構成され、前記絶縁体部とサーベイメーターのケーブル固定具とを連結する弾性ステンレス板材部と、高準位ガンマ線サーベイメーターに挿入するときに前記信号伝達ケーブルが通過するケーブルホール部とを含む。
【０００６】
また、本発明は、前記サーベイメーター電子回路保護部材が高準位ガンマ線サーベイメーターのテレスコープホール部及び指示部電子回路部を互いに物理的に隔離させるように高準位ガンマ線サーベイメーターの内部に挿入されることを特徴とする高準位ガンマ線サーベイメーターを含む。
【発明の効果】
【０００７】
前記のような本発明による高準位ガンマ線サーベイメーターの電子回路保護部材を用いることで、高準位ガンマ線サーベイメーター電子回路の故障原因を前もって防止することができ、維持保守にかかる費用を節減することができるだけではなく、装備の使用寿命を延ばすことができるという効果がある。
【図面の簡単な説明】
【０００８】
【図１】本発明の一実施例に係るサーベイメーターの電子回路保護部材１００の断面図であって、（Ａ）は全面図、（Ｂ）は側面図である。
【図２】本発明の一実施例に係る電子回路保護部材１００が挿入される高準位ガンマ線サーベイメーター２００の断面図であって、（Ａ）は全面図、（Ｂ）は側面図である。
【発明を実施するための形態】
【０００９】
本発明の具体的特徴及び利点は添付図面に基づく以降の詳細な説明からより明らかになるであろう。これに先立ち、本発明に係る公知の機能及び構成についての具体的な説明が本発明の要旨を不必要にあいまいにすると判断される場合には、その具体的な説明を省略できることに留意しなければならない。
【００１０】
以下、添付図面に基づいて本発明を詳細に説明する。
本発明のサーベイメーター電子回路保護部材及びこれを挿入させた高準位ガンマ線サーベイメーターについて図１及び図２を参照して以下説明する。
【００１１】
図１は、本発明の一実施例による高準位ガンマ線サーベイメーターの電子回路保護部材１００の断面図であって、図示のように、絶縁体部１１０、弾性ステンレス板材部１２０、及び、ケーブルホール部１３０を含んでいる。
【００１２】
図２は、本発明による電子回路保護部材１００が挿入される高準位ガンマ線サーベイメーター２００の一例示図である。電子回路保護部材１００が挿入される高準位ガンマ線サーベイメーター２００は、通常の高準位ガンマ線サーベイメーターであり、テレスコープホール部のサイズによって電子回路保護部材１００のサイズのみを調節すればすべての通常のサーベイメーターに適用可能である。
【００１３】
ただし、図２は説明の便宜のためのものであり、電子回路保護部材１００が挿入される高準位ガンマ線サーベイメーター２００の一例示図である。図２に示す高準位ガンマ線サーベイメーター２００は、放射線による信号を感知する検出部、検出部の電気信号を伝達する信号伝達ケーブル２１０、信号伝達ケーブル２１０を固定するケーブル固定具２２０、検出部と指示部電子回路部２４０とを連結するテレスコープの内部にケーブルを内蔵するためのテレスコープホール部２３０、及び、電気信号を空間放射線量率に切り替えて測定値を示す指示部電子回路部２４０を含んでいる。
【００１４】
電子回路保護部材１００を構成している絶縁体部１１０は、通常の電気絶縁機能を持つ物質で構成され、異物の流入を防止するとともに絶縁体によって電気を通さないようにする役目を果たしている。
【００１５】
本発明の一実施例として、絶縁体部１１０にゴムやプラスチックを用いることができるが、特にシリコンの場合は作製が便利であり、ゴムやプラスチックに比べて復元力及び劣化に対する耐性に比較的優れている。
【００１６】
また、弾性ステンレス板材部１２０は、通常の弾性ステンレスから構成された板材を用いたものであり、絶縁体部１１０とケーブル固定具２２０とを連結する機能を有する。弾性ステンレス板材部１２０の底部には二つの孔があり、ケーブル固定具２２０の孔と弾性ステンレス板材部１２０の孔を一致させた後、ネジで締め付けることで、電子回路保護部材１００をサーベイメーター２００に固定することができるようになる。
【００１７】
特に、弾性ステンレス板材部１２０の主材料として弾性ステンレス板材を使った理由は、弾性ステンレス板材の素材が弾性を有するため、少しの物理的な外力が加わっても元の形態に復元し、電子回路保護部材１００の緩衝作用によって柔軟にサーベイメーター２００に挿入することができる機能を有しているためである。
【００１８】
電子回路保護部材１００を高準位ガンマ線サーベイメーター２００に挿入させる方法は次のようである。
【００１９】
まず、高準位ガンマ線サーベイメーター２００のケースを開き、ケーブル固定具２２０のネジを緩めた後、信号伝達ケーブル２１０を電子回路保護部材１００のケーブルホール部１３０に挿入する。
信号伝達ケーブル２１０を挿入した後、ケーブル固定具２２０のネジ孔と電子回路保護部材１００の下部の孔を一致させ、その後、ケーブル固定具２２０のネジで電子回路保護部材１００を固定する。
【００２０】
結果として、絶縁体部１１０に弾性ステンレス板材部１２０を挿入し、ケーブル固定具２２０に固定させて指示部電子回路部２４０とテレスコープホール部２３０を物理的に隔離させるとともに、信号伝達ケーブル２１０のみが絶縁体部のを通じて動けるように構成することにより、異物が流入することがなく、伝導性異物による短絡故障を前もって効果的に防止することができるようになる。
【００２１】
以上、本発明の技術的思想を例示するための好適な実施例に基づいて説明および図示したが、本発明はこのような図示及び説明の構成及び作用にのみ限定されるものではなく、技術的思想の範疇を逸脱することなく本発明の多数の変更及び修正が可能であることは当業者にとって理解可能である。したがって、そのようなすべての適切な変更及び修正や均等物も本発明の範囲に属するものと見なさなければならない。
【符号の説明】
【００２２】
１００    電子回路保護部材
１１０    絶縁体部
１２０    弾性ステンレス板材部
１３０    ケーブルホール部
２００    高準位ガンマ線サーベイメーター
２１０    信号伝達ケーブル
２２０    ケーブル固定具
２３０    テレスコープホール部
２４０    指示部電子回路部
【図１（Ａ）】
0005756186.tif 000002
【図１（Ｂ）】
0005756186.tif 000003
【図２（Ａ）】
0005756186.tif 000004
【図２（Ｂ）】
0005756186.tif 000005